(57)【要約】【課題】芳醇な香りを有するジュースや洋酒類や日本酒などを収容する、通常の上面が平坦な又は切妻屋根形の、紙積層材料製などの液体紙容器５０の上部開口ｆに装着して、ネジ式のキャップ２０を回転することによって、下降した降下円筒体３０の鋸刃ｃ ,ｃ ,ｃ ,…で破断可能なフィルム６０を破断して開封する、２回目に開栓する時とは明らかに異なる、初回の明確な開封感を付与した液体紙容器用の口栓を提供する。【解決手段】本発明は、ネジ式のキャップ２０の押下げ円筒体２１の下部の外面側に、降下円筒体３０の傾斜凸状カムｂ ,ｂが乗越えて下降する、相対する開封感付与突起１０ ,１０を設けて、この相対する開封感付与突起１０ ,１０の左右に、それぞれ押下げ円筒体２１を切断した１対の縦の切り溝１１ ,１１を設けた液体紙容器用の口栓である。【選択図】図１
2006069553.tif 000002
【特許請求の範囲】
【請求項１】
外面側に相対する傾斜凸状カムａ ,ａを設けた押下げ円筒体２１を、天板の内面に連設したネジ式のキャップ２０と、内面側に相対する傾斜凸状カムｂ ,ｂと下端に多数の鋸刃ｃ ,ｃ ,ｃ ,…とを設けた、口栓本体４０の内面側に嵌合して下降する降下円筒体３０と、下部に融着フランジｄを設けたネジ式の口栓本体４０と、から成る液体紙容器用の口栓であって、通常の上面が平坦な又は切妻屋根形の、紙積層材料製などの液体紙容器５０の、破断可能なフィルム６０で封止された上部開口ｆの周辺の上面に、ネジ式の口栓本体４０の融着フランジｄの下面を熱融着して装着した後に、ネジ式のキャップ２０を回転することによって、口栓本体４０の内面側に嵌合した降下円筒体３０が下降して、この降下円筒体３０の鋸刃ｃ ,ｃ ,ｃ ,…で破断可能なフィルム６０を破断して開封する液体紙容器用の口栓において、
ネジ式のキャップ２０の押下げ円筒体２１の下部の外面側に、降下円筒体３０の傾斜凸状カムｂ ,ｂが乗越えて下降する、相対する開封感付与突起１０ ,１０を設けたことを特徴とする液体紙容器用の口栓。
【請求項２】
外面側に相対する傾斜凸状カムａ ,ａを設けた押下げ円筒体２１を、天板の内面に連設したネジ式のキャップ２０と、内面側に相対する傾斜凸状カムｂ ,ｂと下端に多数の鋸刃ｃ ,ｃ ,ｃ ,…とを設けた、口栓本体４０の内面側に嵌合して下降する降下円筒体３０と、下部に融着フランジｄを設けて、下端開口を破断可能なフィルム６０で封止したネジ式の口栓本体４０と、から成る液体紙容器用の口栓であって、通常の上面が平坦な又は切妻屋根形の、紙積層材料製などの液体紙容器５０の上部開口ｆの周辺の下面に、ネジ式の口栓本体４０の融着フランジｄの上面を熱融着して装着した後に、ネジ式のキャップ２０を回転することによって、口栓本体４０の内面側に嵌合した降下円筒体３０が下降して、この降下円筒体３０の鋸刃ｃ ,ｃ ,ｃ ,…で破断可能なフィルム６０を破断して開封する液体紙容器用の口栓において、
ネジ式のキャップ２０の押下げ円筒体２１の下部の外面側に、降下円筒体３０の傾斜凸状カムｂ ,ｂが乗越えて下降する、相対する開封感付与突起１０ ,１０を設けたことを特徴とする液体紙容器用の口栓。
【請求項３】
請求項１又は請求項２に記載の液体紙容器用の口栓において、
ネジ式のキャップ２０の押下げ円筒体２１の下部の、外面側に設けた相対する開封感付与突起１０ ,１０の左右に、それぞれ押下げ円筒体２１を切断した１対の縦の切り溝１１
,１１を設けたことを特徴とする液体紙容器用の口栓。
【発明の詳細な説明】
【技術分野】
【０００１】
本発明は、芳醇な香りを有するジュースや洋酒類や日本酒などを収容する、通常の上面が平坦な又は切妻屋根形の、紙積層材料製などの液体紙容器５０の上部開口ｆに装着して、ネジ式のキャップ２０を回転することによって、下降した降下円筒体３０の鋸刃ｃ ,ｃ
,ｃ ,…で破断可能なフィルム６０を破断して開封する、初回の明確な開封感を付与した液体紙容器用の口栓に関する。
【背景技術】
【０００２】
従来から、外面側に相対する傾斜凸状カムａ ,ａを設けた押下げ円筒体２１を、天板の内面に連設した、図４Ｂに示すネジ式のキャップ２０と、内面側に相対する傾斜凸状カムｂ ,ｂと下端に多数の鋸刃ｃ ,ｃ ,ｃ ,…とを設けた、口栓本体４０の内面側に嵌合して下降する、図４Ｃに示す降下円筒体３０と、下部に融着フランジｄを設けた、図４Ｄに示すネジ式の口栓本体４０と、から成る、図３Ａ ,図４Ａに示す液体紙容器用の口栓であって、
芳醇な香りを有するジュースや洋酒類や日本酒などを収容する、図４Ｅ ,Ｆに示す通常の上面が平坦な又は切妻屋根形の、各種バリアー性が優れた紙積層材料製などの液体紙容器５０の、各種バリアー性が優れたアルミ箔積層材料製などの破断可能なフィルム６０で封止された上部開口ｆの周辺の上面に、図３Ａに示すように、ネジ式の口栓本体４０の融着フランジｄの下面を、熱融着性が優れた融着ドーナツ板６１を介して熱融着して装着した後に、ネジ式のキャップ２０を回転するだけで、図３Ｂに示すように、水平方向に回転する押下げ円筒体２１の相対する傾斜凸状カムａ ,ａと降下円筒体３０の相対する傾斜凸状カムｂ ,ｂとが、それぞれスライドすることによって、口栓本体４０の内面側に嵌合( 図４Ａを参照 )した降下円筒体３０が下降して、この降下円筒体３０の鋸刃ｃ ,ｃ ,ｃ ,…で破断可能なフィルム６０を破断して開封して、図３Ｃに示すように、簡単にネジ式のキャップ２０を除去して開栓することができる、芳醇な香りの保持効果などが優れた液体紙容器用の口栓が、一般に広く用いられている。
【０００３】
特許文献は以下のとおり。
【特許文献１】実公平６−４２９８３号公報
【発明の開示】
【発明が解決しようとする課題】
【０００４】
ところが従来の、図３ ,図４に示す芳醇な香りの保持効果などが優れた液体紙容器用の口栓については、顧客が液体紙容器５０に収容したジュースや洋酒類や日本酒などを購入して、初めてネジ式のキャップ２０を回転して開封 ,開栓する時に、下降した降下円筒体３０の鋸刃ｃ ,ｃ ,ｃ ,…で破断可能なフィルム６０を破断して開封する、僅かな抵抗( 開封感 )があるものの、その抵抗が音もなく僅かであるために、初回の明確な開封感がないことが問題であって、顧客が初めて開封 ,開栓する前に、購入した芳醇な香りを有するジュースや洋酒類や日本酒などを収容した液体紙容器５０が、悪戯や不正などで購入以前に開封 ,開栓されたのではないかとの、不安を与えることがあった。
【０００５】
なお、この図３ ,図４に示す液体紙容器用の口栓については、２回目にネジ式のキャップ２０を回転して開栓する時には、図３Ｂ ,Ｃに示すように、降下円筒体３０の鋸刃ｃ ,ｃ ,ｃ ,…で破断して開封した破断可能なフィルム６０が、そのまま破断して開封した状態で残っているために、また水平方向に回転する押下げ円筒体２１の相対する傾斜凸状カムａ ,ａと降下円筒体３０の相対する傾斜凸状カムｂ ,ｂとが、それぞれスライドすることによって、口栓本体４０の内面側に嵌合して下降した降下円筒体３０が、そのまま嵌合
して下降した状態で残っているために、図示していない通常のネジ式のボトルキャップなどと同様に、殆ど抵抗がなく開栓することができる。
【０００６】
そこで、本発明の目的は、芳醇な香りを有するジュースや洋酒類や日本酒などを収容する、通常の上面が平坦な又は切妻屋根形の、紙積層材料製などの液体紙容器５０の上部開口ｆに装着して、ネジ式のキャップ２０を回転することによって、下降した降下円筒体３０の鋸刃ｃ ,ｃ ,ｃ ,…で破断可能なフィルム６０を破断して開封する、２回目に開栓する時とは明らかに異なる、初回の明確な開封感を付与した液体紙容器用の口栓を提供することにある。
【課題を解決するための手段】
【０００７】
本発明の請求項１に記載の液体紙容器用の口栓は、外面側に相対する傾斜凸状カムａ ,ａを設けた押下げ円筒体２１を、天板の内面に連設したネジ式のキャップ２０と、内面側に相対する傾斜凸状カムｂ ,ｂと下端に多数の鋸刃ｃ ,ｃ ,ｃ ,…とを設けた、口栓本体４０の内面側に嵌合して下降する降下円筒体３０と、下部に融着フランジｄを設けたネジ式の口栓本体４０と、から成る液体紙容器用の口栓であって、通常の上面が平坦な又は切妻屋根形の、紙積層材料製などの液体紙容器５０の、破断可能なフィルム６０で封止された上部開口ｆの周辺の上面に、ネジ式の口栓本体４０の融着フランジｄの下面を熱融着して装着した後に、ネジ式のキャップ２０を回転することによって、口栓本体４０の内面側に嵌合した降下円筒体３０が下降して、この降下円筒体３０の鋸刃ｃ ,ｃ ,ｃ ,…で破断可能なフィルム６０を破断して開封する、前述した従来の、図３ ,図４に示す液体紙容器用の口栓において、
図１に示すように、ネジ式のキャップ２０の押下げ円筒体２１の下部の外面側に、降下円筒体３０の傾斜凸状カムｂ ,ｂが乗越えて下降する、相対する開封感付与突起１０ ,１０を設けたことを特徴とする液体紙容器用の口栓である。
【０００８】
また、本発明の請求項２に記載の液体紙容器用の口栓は、図２Ｃに示すように、外面側に相対する傾斜凸状カムａ ,ａを設けた押下げ円筒体２１を、天板の内面に連設したネジ式のキャップ２０と、内面側に相対する傾斜凸状カムｂ ,ｂと下端に多数の鋸刃ｃ ,ｃ ,ｃ ,…とを設けた、口栓本体４０の内面側に嵌合して下降する降下円筒体３０と、下部に融着フランジｄを設けて、下端開口を破断可能なフィルム６０で封止したネジ式の口栓本体４０と、から成る液体紙容器用の口栓であって、通常の上面が平坦な又は切妻屋根形の、紙積層材料製などの液体紙容器５０の上部開口ｆの周辺の下面に、ネジ式の口栓本体４０の融着フランジｄの上面を熱融着して装着した後に、前述した図３ ,図４に示す液体紙容器用の口栓と同様に、ネジ式のキャップ２０を回転することによって、口栓本体４０の内面側に嵌合した降下円筒体３０が下降して、この降下円筒体３０の鋸刃ｃ ,ｃ ,ｃ ,…で破断可能なフィルム６０を破断して開封する液体紙容器用の口栓において、
図２に示すように、ネジ式のキャップ２０の押下げ円筒体２１の下部の外面側に、降下円筒体３０の傾斜凸状カムｂ ,ｂが乗越えて下降する、相対する開封感付与突起１０ ,１０を設けたことを特徴とする液体紙容器用の口栓である。
【０００９】
本発明の請求項１及び請求項２に記載の液体紙容器用の口栓においては、ネジ式のキャップ２０を回転することによって、口栓本体４０の内面側に嵌合した降下円筒体３０が下降して、この降下円筒体３０の鋸刃ｃ ,ｃ ,ｃ ,…で破断可能なフィルム６０を破断して開封する、前述した初回の明確な開封感がないことが問題の液体紙容器用の口栓において、図１ ,図２に示すように、ネジ式のキャップ２０の押下げ円筒体２１の下部の外面側に、降下円筒体３０の傾斜凸状カムｂ ,ｂが乗越えて下降する、相対する開封感付与突起１０ ,１０を設けたことによって、
顧客が液体紙容器５０に収容したジュースや洋酒類や日本酒などを購入して、初めてネジ式のキャップ２０を回転して開封 ,開栓する時に、図３Ｂに示すように、水平方向に回
転する押下げ円筒体２１の相対する傾斜凸状カムａ ,ａと降下円筒体３０の相対する傾斜凸状カムｂ ,ｂとが、それぞれスライドすることによって、口栓本体４０の内面側に嵌合した降下円筒体３０が下降して、この降下円筒体３０の鋸刃ｃ ,ｃ ,ｃ ,…で破断可能なフィルム６０を破断して開封する、前述した僅かな抵抗( 開封感 )に加えて、ネジ式のキャップ２０の押下げ円筒体２１の下部の外面側に設けた、同様に水平方向に回転する相対する開封感付与突起１０ ,１０を、それぞれスライドして下降する降下円筒体３０の相対する傾斜凸状カムｂ ,ｂが、乗越える時に、ハッキリした抵抗があるために、また乗越えた時に、カチッと音がするために、前述した殆ど抵抗がない２回目に開栓する時とは明らかに異なる、初回の明確な開封感を、顧客が認識することができる。
【００１０】
加えて、本発明の請求項３に記載の液体紙容器用の口栓は、前述した請求項１又は請求項２に記載の液体紙容器用の口栓において、図１ ,図２に示すように、ネジ式のキャップ２０の押下げ円筒体２１の下部の、外面側に設けた相対する開封感付与突起１０ ,１０の左右に、それぞれ押下げ円筒体２１を切断した１対の縦の切り溝１１ ,１１を設けたことを特徴とする液体紙容器用の口栓である。
【００１１】
本発明の請求項３に記載の液体紙容器用の口栓においては、前述した請求項１又は請求項２に記載の、ネジ式のキャップ２０の押下げ円筒体２１の下部の外面側に、降下円筒体３０の傾斜凸状カムｂ ,ｂが乗越えて下降する、相対する開封感付与突起１０ ,１０を設けたことによって、初回の明確な開封感を、顧客が認識することができる液体紙容器用の口栓において、ネジ式のキャップ２０の押下げ円筒体２１の下部の、外面側に設けた相対する開封感付与突起１０ ,１０の左右に、それぞれ押下げ円筒体２１を切断した１対の縦の切り溝１１ ,１１を設けたことによって、
ネジ式のキャップ２０の押下げ円筒体２１の下部の開封感付与突起１０ ,１０の左右に設けた、それぞれ押下げ円筒体２１を切断した１対の縦の切り溝１１ ,１１の間の、外面側に設けた相対する開封感付与突起１０ ,１０に、弾力性を付与することができるものであって、同様に顧客が液体紙容器５０に収容したジュースや洋酒類や日本酒などを購入して、初めてネジ式のキャップ２０を回転して開封 ,開栓する時に、同様に水平方向に回転する、この弾力性を付与した相対する開封感付与突起１０ ,１０を、それぞれスライドして下降する降下円筒体３０の相対する傾斜凸状カムｂ ,ｂが、特に乗越えた時に、カチッと弾力的な音がするために、前述した殆ど抵抗がない２回目に開栓する時とは明らかに異なる、初回のさらに明確な開封感を、顧客が認識することができる。
【発明の効果】
【００１２】
以上、本発明の液体紙容器用の口栓においては、前述した初回の明確な開封感がないことが問題の液体紙容器用の口栓において、図１ ,図２に示すように、ネジ式のキャップ２０の押下げ円筒体２１の下部の外面側に、降下円筒体３０の傾斜凸状カムｂ ,ｂが乗越えて下降する、相対する開封感付与突起１０ ,１０を設けたことによって、加えてネジ式のキャップ２０の押下げ円筒体２１の下部の、外面側に設けた相対する開封感付与突起１０
,１０の左右に、それぞれ押下げ円筒体２１を切断した１対の縦の切り溝１１ ,１１を設けたことによって、
芳醇な香りを有するジュースや洋酒類や日本酒などを収容する、通常の上面が平坦な又は切妻屋根形の、紙積層材料製などの液体紙容器５０の上部開口ｆに装着して、ネジ式のキャップ２０を回転することによって、下降した降下円筒体３０の鋸刃ｃ ,ｃ ,ｃ ,…で破断可能なフィルム６０を破断して開封する、２回目に開栓する時とは明らかに異なる、初回の明確な開封感を、顧客が認識することができる液体紙容器用の口栓であって、購入したジュースや洋酒類や日本酒などを収容した液体紙容器５０が、悪戯や不正などで購入以前に開封 ,開栓されたのではないかとの、不安を与える恐れがない液体紙容器用の口栓を提供することができる。
【発明を実施するための最良の形態】
【００１３】
本発明の液体紙容器用の口栓における、ネジ式のキャップ２０の押下げ円筒体２１の下部の外面側に設けた、降下円筒体３０の傾斜凸状カムｂ ,ｂが乗越えて下降する、相対する開封感付与突起１０ ,１０については、従来の図４Ｂに示すネジ式のキャップ２０の天板の内面に連設した押下げ円筒体２１の、外面側に設けた相対する傾斜凸状カムａ ,ａの半分程度の高さ( 肉厚 )の、縦と横と高さとが０.６×２.４×０.３ｍｍ程度の相対する開封感付与突起１０ ,１０を、図１ ,図２に示すように、ネジ式のキャップ２０の押下げ円筒体２１の、相対する傾斜凸状カムａ ,ａの傾斜面の左右の中央付近の下部の外面側に設けることができる。
【００１４】
本発明の液体紙容器用の口栓における、ネジ式のキャップ２０の押下げ円筒体２１の下部の、外面側に設けた相対する開封感付与突起１０ ,１０の左右に設けた、それぞれ押下げ円筒体２１を切断した１対の縦の切り溝１１ ,１１については、それぞれ押下げ円筒体２１を切断した縦と横幅とが３.０×０.６ｍｍ程度であって、間隔が３.６ｍｍ程度の１対の縦の切り溝１１ ,１１を、図１Ａ ,Ｂ ,図２Ａ ,Ｂに示すように、ネジ式のキャップ２０の押下げ円筒体２１の下部の、外面側に設けた相対する開封感付与突起１０ ,１０の左右に設けることができる。
【００１５】
しかも、前述した縦と横と高さとが０.６×２.４×０.３ｍｍ程度の相対する開封感付与突起１０ ,１０の左右に、それぞれ押下げ円筒体２１を切断した１対の縦の切り溝１１
,１１を設けたことによって、図１Ａ ,Ｂ ,図２Ａ ,Ｂに示す押下げ円筒体２１を連設したネジ式のキャップ２０の射出成形時に、相対する開封感付与突起１０ ,１０部分の、金型からの無理抜きを容易にすることができる。
【実施例１】
【００１６】
図１Ａ ,Ｂは、本発明の実施例１における、液体紙容器用の口栓の、押下げ円筒体２１を連設したネジ式のキャップ２０の破断側面図 ,破断下面図であって、図１Ｃは、液体紙容器用の口栓の断面図である。
【００１７】
図３Ａは、従来の液体紙容器用の口栓の断面図であって、図３Ｂ ,Ｃは、従来の液体紙容器用の口栓を、開封 ,開栓する状態を示す断面図である。また図４Ａは、従来の液体紙容器用の口栓の破断下面図であって、図４Ｂ ,Ｃ ,Ｄは、従来の液体紙容器用の口栓の、押下げ円筒体２１を連設したネジ式のキャップ２０と降下円筒体３０とネジ式の口栓本体４０との( 破断 )側面図であって、図４Ｅ ,Ｆは、従来の液体紙容器用の口栓を装着する、上面が平坦な又は切妻屋根形の液体紙容器５０の斜視図である。
【００１８】
すなわち、外面側に相対する傾斜凸状カムａ ,ａを設けた外径１２ｍｍの押下げ円筒体２１を、天板の内面に連設した、図４Ｂに示す従来の外径２４ｍｍで高さ１６ｍｍのネジ式のキャップ２０において、このネジ式のキャップ２０の押下げ円筒体２１の、相対する傾斜凸状カムａ ,ａの傾斜面の左右の中央付近の下部の外面側に、降下円筒体３０の傾斜凸状カムｂ ,ｂが乗越えて下降する、縦と横と高さとが０.６×２.４×０.３ｍｍの相対する開封感付与突起１０ ,１０を設けて、加えてネジ式のキャップ２０の押下げ円筒体２１の下部の、外面側に設けた相対する開封感付与突起１０ ,１０の左右に、それぞれ押下げ円筒体２１を切断した縦と横幅とが３.０×０.６ｍｍであって、間隔が３.６ｍｍの１対の縦の切り溝１１ ,１１を設けた、図１Ａ ,Ｂに示す実施例１の押下げ円筒体２１を連設したネジ式のキャップ２０を、従来と同様の通常のポリエチレン樹脂を用いた射出成形方法で作製した。
【００１９】
また、内面側に相対する傾斜凸状カムｂ ,ｂと下端に多数の鋸刃ｃ ,ｃ ,ｃ ,…とを設けた、口栓本体４０の内面側に嵌合して下降する、図４Ｃに示す従来の外径１６ｍｍ( 内
径１４ｍｍ )で高さ１４ｍｍの降下円筒体３０と、下部に融着フランジｄを設けた、図４Ｄに示す従来の内径１８ｍｍ( 外径２１ｍｍ )で高さ１８ｍｍのネジ式の口栓本体４０とを、それぞれ従来と同一のポリエチレン樹脂を用いた射出成形方法で作製した。
【００２０】
次に、図４Ｃに示す従来の外径１６ｍｍの降下円筒体３０と、図４Ｄに示す従来の内径１８ｍｍのネジ式の口栓本体４０とを、図４Ａに示すように、口栓本体４０の内面側の、上下の環状突起ｇ ,ｇの間の８本の縦の突起ｈ ,ｈ ,ｈ ,…に、降下円筒体３０の外面側の、上部の４個の嵌合突起ｉ ,ｉ ,ｉ ,ｉが嵌合して上下動( 下降 )するように、ネジ式の口栓本体４０の内面側に降下円筒体３０の外面側を嵌合して、この口栓本体４０の外面側と降下円筒体３０の内面側とに、図１Ａ ,Ｂに示す実施例１の押下げ円筒体２１を連設したネジ式のキャップ２０を、右に回転してネジ込んで嵌合して、ネジ式のキャップ２０と降下円筒体３０とネジ式の口栓本体４０とから成る、図１Ｃに示す実施例１の液体紙容器用の口栓を作製した。
【００２１】
続いて、図１Ｃに示す実施例１の、ネジ式のキャップ２０と降下円筒体３０とネジ式の口栓本体４０とから成る液体紙容器用の口栓を、芳醇な香りを有する２０００ｍｌの日本酒を収容する、図４Ｆに示す通常の収容部の縦と横と高さとが８５×８５×２７５ｍｍの切妻屋根形の、各種バリアー性が優れた紙積層材料製の液体紙容器５０の、各種バリアー性が優れたアルミ箔積層材料製の破断可能なフィルム６０で封止された上部開口ｆの周辺の上面に、図１Ｃ ,図３Ａに示すように、ネジ式の口栓本体４０の融着フランジｄの下面を、熱融着性が優れた融着ドーナツ板６１を介して熱融着して( 同時に破断可能なフィルム６０と融着ドーナツ板６１の端部とを熱融着して )装着したところ、
前述した従来の、図３ ,図４に示す液体紙容器用の口栓と同様に、ネジ式のキャップ２０を開封方向左に半回転するだけで、図３Ｂに示すように、水平方向に半回転する押下げ円筒体２１の相対する傾斜凸状カムａ ,ａと降下円筒体３０の相対する傾斜凸状カムｂ ,ｂとが、それぞれスライドすることによって、口栓本体４０の内面側に嵌合( 図４Ａを参照 )した降下円筒体３０が下降して、この降下円筒体３０の鋸刃ｃ ,ｃ ,ｃ ,…で破断可能なフィルム６０を破断して開封して、図３Ｃに示すように、簡単にネジ式のキャップ２０を除去して開栓することができる、芳醇な香りの保持効果などが優れた液体紙容器用の口栓を得ることができた。
【実施例２】
【００２２】
図２Ａ ,Ｂは、本発明の実施例２における、液体紙容器用の口栓の、押下げ円筒体２１を連設したネジ式のキャップ２０の破断側面図 ,破断下面図であって、図２Ｃは、液体紙容器用の口栓の断面図である。
【００２３】
すなわち、前述した図１Ａ ,Ｂに示す実施例１と同一の、外面側に相対する傾斜凸状カムａ ,ａを設けた押下げ円筒体２１を、天板の内面に連設したネジ式のキャップ２０において、このネジ式のキャップ２０の押下げ円筒体２１の下部の外面側に、降下円筒体３０の傾斜凸状カムｂ ,ｂが乗越えて下降する、相対する開封感付与突起１０ ,１０を設けて、加えてネジ式のキャップ２０の押下げ円筒体２１の下部の、外面側に設けた相対する開封感付与突起１０ ,１０の左右に、それぞれ押下げ円筒体２１を切断した１対の縦の切り溝１１ ,１１を設けた、図２Ａ ,Ｂに示す実施例２の押下げ円筒体２１を連設したネジ式のキャップ２０と、内面側に相対する傾斜凸状カムｂ ,ｂと下端に多数の鋸刃ｃ ,ｃ ,ｃ
,…とを設けた、口栓本体４０の内面側に嵌合して下降する、前述した従来の降下円筒体３０と、下部に融着フランジｄを設けた、前述した従来のネジ式の口栓本体４０とを、それぞれ従来と同様の通常のポリエチレン樹脂を用いた射出成形方法で作製した。
【００２４】
次に、前述した従来の降下円筒体３０と、前述した従来のネジ式の口栓本体４０とを、実施例１と同様に、口栓本体４０の内面側の、上下の環状突起ｇ ,ｇの間の８本の縦の突
起ｈ ,ｈ ,ｈ ,…に、降下円筒体３０の外面側の、上部の４個の嵌合突起ｉ ,ｉ ,ｉ ,ｉが嵌合して上下動( 下降 )するように、ネジ式の口栓本体４０の内面側に降下円筒体３０の外面側を嵌合して、この口栓本体４０の外面側と降下円筒体３０の内面側とに、図２Ａ
,Ｂに示す実施例２の押下げ円筒体２１を連設したネジ式のキャップ２０を、右に回転してネジ込んで嵌合した後に、このネジ式の口栓本体４０の下端開口を、図２Ｃに示すように、各種バリアー性が優れたアルミ箔積層材料製の破断可能なフィルム６０で( 融着フランジｄの下面に熱融着して )封止して、ネジ式のキャップ２０と降下円筒体３０とネジ式の口栓本体４０とから成る、図２Ｃに示す実施例２の液体紙容器用の口栓を作製した。
【００２５】
続いて、図２Ｃに示す実施例２の、ネジ式のキャップ２０と降下円筒体３０とネジ式の口栓本体４０とから成る液体紙容器用の口栓を、実施例１と同一の通常の上面が切妻屋根形の、紙積層材料製の液体紙容器５０の、破断可能なフィルム６０で封止されていない上部開口ｆの周辺の下面に、図２Ｃに示すように、ネジ式の口栓本体４０の融着フランジｄの上面を( 上部開口ｆの内面側から挿入して )熱融着して装着したところ、
前述した実施例１の液体紙容器用の口栓と同様に、ネジ式のキャップ２０を開封方向左に半回転するだけで、口栓本体４０の内面側に嵌合した降下円筒体３０が下降して、この降下円筒体３０の鋸刃ｃ ,ｃ ,ｃ ,…で、ネジ式の口栓本体４０の下端開口を封止した、各種バリアー性が優れたアルミ箔積層材料製の破断可能なフィルム６０を破断して開封することができる、芳醇な香りの保持効果などが優れた液体紙容器用の口栓を得ることができた。
【００２６】
本発明の実施例１及び実施例２の液体紙容器用の口栓においては、ネジ式のキャップ２０を左に回転するだけで、口栓本体４０の内面側に嵌合した降下円筒体３０が下降して、この降下円筒体３０の鋸刃ｃ ,ｃ ,ｃ ,…で破断可能なフィルム６０を破断して開封する液体紙容器用の口栓において、ネジ式のキャップ２０の押下げ円筒体２１の、相対する傾斜凸状カムａ ,ａの傾斜面の左右の中央付近の下部の外面側に、降下円筒体３０の傾斜凸状カムｂ ,ｂが乗越えて下降する、縦と横と高さとが０.６×２.４×０.３ｍｍの相対する開封感付与突起１０ ,１０を設けて、加えてネジ式のキャップ２０の押下げ円筒体２１の下部の、外面側に設けた相対する開封感付与突起１０ ,１０の左右に、それぞれ押下げ円筒体２１を切断した縦と横幅とが３.０×０.６ｍｍであって、間隔が３.６ｍｍの１対の縦の切り溝１１ ,１１を設けたことによって、
顧客が液体紙容器５０に収容した２０００ｍｌの日本酒を購入して、初めてネジ式のキャップ２０を開封方向開封方向左に半回転して開封 ,開栓する時に、水平方向に半回転する押下げ円筒体２１の相対する傾斜凸状カムａ ,ａと降下円筒体３０の相対する傾斜凸状カムｂ ,ｂとが、それぞれスライドすることによって、口栓本体４０の内面側に嵌合した降下円筒体３０が下降して、ネジ式のキャップ２０の押下げ円筒体２１の下部の外面側に設けた、同様に水平方向に半回転する相対する開封感付与突起１０ ,１０を、それぞれスライドして下降する降下円筒体３０の相対する傾斜凸状カムｂ ,ｂが、乗越える時に、ハッキリした抵抗があるために、また乗越えた時に、カチッと弾力的な音がするために、殆ど抵抗がない２回目に開栓する時とは明らかに異なる、初回の明確な開封感を、顧客が認識することができる液体紙容器用の口栓を得ることができた。
【産業上の利用可能性】
【００２７】
特になし。
【図面の簡単な説明】
【００２８】
【図１】本発明の実施例１における、図１Ａ ,Ｂは、液体紙容器用の口栓の、押下げ円筒体２１を連設したネジ式のキャップ２０の破断側面図 ,破断下面図であって、図１Ｃは、液体紙容器用の口栓の断面図である。
【図２】本発明の実施例２における、図２Ａ ,Ｂは、液体紙容器用の口栓の、押下げ円筒体２１を連設したネジ式のキャップ２０の破断側面図 ,破断下面図であって、図２Ｃは、液体紙容器用の口栓の断面図である。
【図３】図３Ａは、従来の液体紙容器用の口栓の断面図であって、図３Ｂ ,Ｃは、従来の液体紙容器用の口栓を、開封 ,開栓する状態を示す断面図である。
【図４】図４Ａは、従来の液体紙容器用の口栓の破断下面図であって、図４Ｂ ,Ｃ ,Ｄは、従来の液体紙容器用の口栓の、押下げ円筒体２１を連設したネジ式のキャップ２０と降下円筒体３０とネジ式の口栓本体４０との側面図であって、図４Ｅ ,Ｆは、従来の液体紙容器用の口栓を装着する、上面が平坦な又は切妻屋根形の液体紙容器５０の斜視図である。
【符号の説明】
【００２９】
１０    …開封感付与突起
１１    …縦の切り溝
２０    …ネジ式のキャップ
２１    …押下げ円筒体
３０    …降下円筒体
４０    …口栓本体
５０    …液体紙容器
６０    …破断可能なフィルム
６１    …融着ドーナツ板
ａ ,ｂ  …傾斜凸状カム
ｃ      …鋸刃
ｄ      …融着フランジ
ｆ      …上部開口
ｇ      …環状突起
ｈ      …縦の突起
ｉ      …嵌合突起
【図１】
2006069553.tif 000003
【図２】
2006069553.tif 000004
【図３】
2006069553.tif 000005
【図４】
2006069553.tif 000006